(57)【要約】【課題】同様の表現手法でも複数のデータを容易に可視化すること。【解決手段】データ表示装置１０は、表示データを作成する元となるデジタル値の集合からなる物理データおよび表現手法を再現する可視化ソフトのプログラムを格納メモリ１３と、表現手法が同様である複数のデータについて、各データの表現上の質を取得する取得部１４ａと、表現上の質に基づいて表現手法が同様である複数のデータの重み付けをおこなう重み付け処理部１４ｂと、重み付けに応じて表現態様を区別して表示するように制御する表示制御部１４ｃとを備える。【選択図】      図１
2004302165.tif 000002
【特許請求の範囲】
【請求項１】
画面上に表現可能な所定のデータを所定の表現手法によって表示するデータ表示装置であって、
前記表現手法が同様である複数のデータについて、各データの表現上の質を取得する取得手段と、
前記取得手段によって取得された表現上の質に応じて各データの表現態様を区別して表示するように制御する表示制御手段と、
を備えたことを特徴とするデータ表示装置。
【請求項２】
前記表現手法は、前記所定のデータを塗りつぶしによって表現する手法であって、
前記取得手段は、前記塗りつぶしによって表現される複数のデータについて、各データの表現上の質を取得し、
前記表示制御手段は、前記取得手段によって取得された表現上の質に応じて各データの表現態様を区別して表示するように制御することを特徴とする請求項１に記載のデータ表示装置。
【請求項３】
前記表現手法は、前記所定のデータをプロットによって表現する手法であって、
前記取得手段は、前記プロットによって表現される複数のデータについて、各データの表現上の質を取得し、
前記表示制御手段は、前記取得手段によって取得された表現上の質に応じて各データの表現態様を区別して表示するように制御することを特徴とする請求項１または２に記載のデータ表示装置。
【請求項４】
前記表現手法は、前記所定のデータを線コンタによって表現する手法であって、
前記取得手段は、前記線コンタによって表現される複数のデータについて、各データの表現上の質を取得し、
前記表示制御手段は、前記取得手段によって取得された表現上の質に応じて各データの表現態様を区別して表示するように制御することを特徴とする請求項１、２または３に記載のデータ表示装置。
【請求項５】
前記表現手法は、前記所定のデータをベクトルによって表現する手法であって、
前記取得手段は、前記ベクトルによって表現される複数のデータについて、各データの表現上の質を取得し、
前記表示制御手段は、前記取得手段によって取得された表現上の質に応じて各データの表現態様を区別して表示するように制御することを特徴とする請求項１〜４のいずれか一つに記載のデータ表示装置。
【発明の詳細な説明】
【０００１】
【発明の属する技術分野】
この発明は、画面上に表現可能な所定のデータを所定の表現手法によって表示するデータ表示装置に関し、特に、同様の表現手法でも複数のデータを容易に可視化することができるデータ表示装置に関する。
【０００２】
【従来の技術】
従来より、画面上に表現可能な所定のデータを所定の表現手法によって表示するデータ表示装置が知られている（例えば、特許文献１参照。）。具体的には、デジタル値の集合からなるデータを「塗りつぶし」、「プロット」、「線コンタ」または「ベクトル」などの表現手法によって表示するものである。
【０００３】
【特許文献１】
特開２０００−０２００４９号公報
【０００４】
【発明が解決しようとする課題】
しかしながら、上記の従来技術は、表現手法が同様である複数のデータを可視化しようすれば、重ね合わされるデータ同士が相互に塗りつぶしあうことで画面上のデータが不明瞭になってしまう事態が多々発生するため、複数のデータを同様の表現手法によって可視化することができないという問題点があった。
【０００５】
そこで、この発明は、上述した従来技術による問題点を解消するためになされたものであり、同様の表現手法でも複数のデータを容易に可視化することができるデータ表示装置を提供することを目的とする。
【０００６】
【課題を解決するための手段】
上述した課題を解決し、目的を達成するため、本発明によれば、画面上に表現可能な所定のデータを所定の表現手法によって表示するデータ表示装置であって、前記表現手法が同様である複数のデータについて、各データの表現上の質を取得する取得手段と、前記取得手段によって取得された表現上の質に応じて各データの表現態様を区別して表示するように制御する表示制御手段と、を備えたことを特徴とする。
【０００７】
したがって、本発明によれば、表現手法が同様である複数のデータについて、各データの表現上の質を取得し、表現上の質に応じて各データの表現態様を区別して表示するように制御することとしたので、同様の表現手法でも複数のデータを容易に可視化することが可能になる。
【０００８】
また、本発明では、前記表現手法は、前記所定のデータを塗りつぶしによって表現する手法であって、前記取得手段は、前記塗りつぶしによって表現される複数のデータについて、各データの表現上の質を取得し、前記表示制御手段は、前記取得手段によって取得された表現上の質に応じて各データの表現態様を区別して表示するように制御することを特徴とする。
【０００９】
したがって、本発明によれば、塗りつぶしによって表現される複数のデータについて、各データの表現上の質を取得し、表現上の質に応じて各データの表現態様を区別して表示するように制御することとしたので、重ね合わされるデータ同士が相互に塗りつぶしあうことで画面上のデータが不明瞭になることを防止でき、塗りつぶしによって表現される複数のデータを容易に可視化することが可能になる。
【００１０】
また、本発明では、前記表現手法は、前記所定のデータをプロットによって表現する手法であって、前記取得手段は、前記プロットによって表現される複数のデータについて、各データの表現上の質を取得し、前記表示制御手段は、前記取得手段によって取得された表現上の質に応じて各データの表現態様を区別して表示するように制御することを特徴とする。
【００１１】
したがって、本発明によれば、プロットによって表現される複数のデータについて、各データの表現上の質を取得し、表現上の質に応じて各データの表現態様を区別して表示するように制御することとしたので、重ね合わされるデータ同士が相互に塗りつぶしあうことで画面上のデータが不明瞭になることを防止でき、プロットによって表現される複数のデータを容易に可視化することが可能になる。
【００１２】
また、本発明では、前記表現手法は、前記所定のデータを線コンタによって表現する手法であって、前記取得手段は、前記線コンタによって表現される複数のデータについて、各データの表現上の質を取得し、前記表示制御手段は、前記取得手段によって取得された表現上の質に応じて各データの表現態様を区別して表示するように制御することを特徴とする。
【００１３】
したがって、本発明によれば、線コンタによって表現される複数のデータについて各データの表現上の質を取得し、表現上の質に応じて各データの表現態様を区別して表示するように制御することとしたので、重ね合わされるデータ同士が相互に塗りつぶしあうことで画面上のデータが不明瞭になることを防止でき、線コンタによって表現される複数のデータを容易に可視化することが可能になる。
【００１４】
また、本発明では、前記表現手法は、前記所定のデータをベクトルによって表現する手法であって、前記取得手段は、前記ベクトルによって表現される複数のデータについて、各データの表現上の質を取得し、前記表示制御手段は、前記取得手段によって取得された表現上の質に応じて各データの表現態様を区別して表示するように制御することを特徴とする。
【００１５】
したがって、本発明によれば、ベクトルによって表現される複数のデータについて、各データの表現上の質を取得し、表現上の質に応じて各データの表現態様を区別して表示するように制御することとしたので、重ね合わされるデータ同士が相互に塗りつぶしあうことで画面上のデータが不明瞭になることを防止でき、ベクトルによって表現される複数のデータを容易に可視化することが可能になる。
【００１６】
【発明の実施の形態】
以下に添付図面を参照して、この発明に係るデータ表示装置およびデータ表示プログラムの好適な実施の形態を詳細に説明する。なお、以下では、本実施の形態１に係るデータ表示装置（データ表示方法）を説明した後に、本実施の形態２に係るデータ表示プログラムを実行するコンピュータシステムを説明し、最後に、他の実施の形態として種々の変形例について説明することとする。
【００１７】
（実施の形態１）
実施の形態１では、本発明に係るデータ表示装置（データ表示方法）を説明する。なお、ここでは、本実施の形態１に係るデータ表示装置の概要および主たる特徴を説明した後に、このデータ表示装置の構成を説明し、最後に、データ表示装置による各種処理の手順を説明する。
【００１８】
［概要および主たる特徴］
まず最初に、本実施の形態１に係るデータ表示装置の概要および主たる特徴を説明する。図１は、本実施の形態１に係るデータ表示装置の構成を示すブロック図である。同図に示すデータ表示装置１０は、概略的に、画面上に表現可能な所定のデータを所定の表現手法によって表示するものである。
【００１９】
ここで、このデータ表示装置１０は、表現手法が同様である複数のデータについて各データの表現上の質を取得し、表現上の質に応じて各データの表現態様を区別して表示するように制御するデータ表示処理に主たる特徴があり、かかるデータ表示処理によって、同様の表現手法でも複数のデータを容易に可視化することができるようにしている。
【００２０】
この主たる特徴を具体的に説明すると、表現手法（「塗りつぶし」、「プロット」、「線コンタ」および「ベクトル」などの表現手法）が同様である複数のデータ（デジタル値の集合からなるデータ）について、各データの表現上の質（例えば、「塗りつぶし」であれば、色塗りの面積および／または色の種類数）を取得し、該表現上の質に基づいて重み付け（色塗りの面積が大きく、色の種類が少ないものが下になるように重み付け）をおこない、該重み付けに応じて表現態様を区別して（上に重ねられるデータほど透明度をあげる（重み付けの値は下げる）ことによって表現態様を区別して）表示する。
【００２１】
したがって、上記した従来技術の例で言えば、重ね合わされるデータ同士が相互に塗りつぶしあうことで画面上のデータが不明瞭になることを防止でき、同様の表現手法でも複数のデータを容易に可視化することが可能になる。
【００２２】
［データ表示装置の構成］
次に、本実施の形態１に係るデータ表示装置の構成を説明する。このデータ表示装置１０は、図１に示すように、入力部１１と、出力部１２と、メモリ１３と、制御部１４とから構成される。
【００２３】
このうち、入力部１１は、各種の情報を入力するキーボード、マウスおよびトラックボールなどの指示入力手段である。具体的には、画面上に表現可能なデータ（デジタル値の集合からなるデータ）および該データを表現する表現手法（「塗りつぶし」、「プロット」、「線コンタ」および「ベクトル」などの表現手法）を受け付ける。なお、本発明においては、表現手法ごとに表現対象となる複数のデータを受け付ける。
【００２４】
出力部１２は、各種の情報を出力するモニタなどの出力表示手段である。具体的には、制御部１４における取得部１４ａ、重み付け処理部１４ｂおよび表示制御部１４ｃを経ておこなわれた処理結果を表示する（図５参照）。
【００２５】
メモリ１３は、制御部１４による各種処理に必要なデータやプログラムを格納する格納手段（記憶手段）である。具体的には、表示データを作成する元となるデジタル値の集合からなる物理データおよび表現手法を再現する可視化ソフトのプログラムを格納している。
【００２６】
制御部１４は、ＯＳ（Ｏｐｅｒａｔｉｎｇ  Ｓｙｓｔｅｍ）などの制御プログラム、各種の処理手順などを規定したプログラムおよび所要データを格納するための内部メモリを有し、これらによって種々の処理を実行する処理部であり、特に本発明に密接に関連するものとしては、機能概念的に、取得部１４ａと、重み付け処理部１４ｂと、表示制御部１４ｃとを備える。
【００２７】
このうち、取得部１４ａは、表現手法が同様である複数のデータについて、各データの表現上の質を取得する処理部である。例えば、「塗りつぶし」によって表現されるデータＡおよびＢならば「色塗りの面積および／または色の種類数」、「プロット」によって表現されるデータＣおよびＤならば「プロット数」、「線コンタ」によって表現されるデータＥおよびＦならば「本数」、同様に、「ベクトル」によって表現されるデータＧおよびＨにおいても「本数」を表現上の質としてメモリ１３から取得する（図３参照）。
【００２８】
重み付け処理部１４ｂは、取得部１４ａによって取得された表現上の質に基づいて表現手法が同様である複数のデータの重み付けをおこなう処理部である。具体的には、図２に示すように、データＡおよびＢ（「塗りつぶし」によって表現されるデータ）においては、色塗りの面積が大きく、色の種類が少ないものが下になるように重み付けし、データＣおよびＤ（「プロット」によって表現されるデータ）においては、プロット数が多いものが下になるように重み付けし、データＥおよびＦ（「線コンタ」によって表現されるデータ）においては、線が多いものが下になるように重み付けし、同様に、データＧおよびＨ（「ベクトル」によって表現されるデータ）においても線が多いものが下になるように重み付けする。
【００２９】
表示制御部１４ｃは、取得部１４ａによって取得された表現上の質に応じて各データの表現態様を区別して表示するように制御する。具体的には、図３に示すように、重み付け処理部１４ｂによって重み付けされた重み付けに応じて表現態様を区別して表示する。
【００３０】
例えば、データＡおよびＢ（「塗りつぶし」によって表現されるデータ）においては、データＡの上にデータＢを重ね合わせてデータＢの透明度を０．５にする（透明度を表す重み付けの値を下げ、透明度をあげる）ことによって表現態様を区別し、データＣおよびＤ（「プロット」によって表現されるデータ）においては、データＣのプロット表示を黒く小さくし、その上にデータＤのプロット表示を大きく、色を淡く表示することによって表現態様を区別し、データＥおよびＦ（「線コンタ」によって表現されるデータ）においては、データＥの線を細くし、その上にデータＦの線をやや太く表示することによって表現態様を区別し、同様に、データＧおよびＨ（「ベクトル」によって表現されるデータ）においてもデータＧの矢印を細くし、その上にデータＨの矢印をやや太く表示することによって表現態様を区別する（図２および図３参照）。
【００３１】
そして、「塗りつぶし（データＡおよびＢ）」を一番下にして、「線コンタ（データＥおよびＦ）」、「ベクトル（データＧおよびＨ）」、「プロット（データＣおよびＤ）」の順に重ね合わせて表示画面を作成する（図５参照）。
【００３２】
［データ表示装置の処理手順］
図４は、本実施の形態１に係るデータ表示装置の処理手順を示すフローチャートである。同図に示すように、取得部１４ａは、「塗りつぶし」によって表現されるデータＡおよびＢについては、「色塗りの面積および／または色の種類数」、「プロット」によって表現されるデータＣおよびＤについては、「プロット数」、「線コンタ」によって表現されるデータＥおよびＦについては、「本数」、「ベクトル」によって表現されるデータＧおよびＨについては、「本数」を表現上の質としてメモリ１３から取得する（ステップＳ４０１）。
【００３３】
そして、すべての表現手法ごとに表現上の質を取得し終えた場合（ステップＳ４０２肯定）に、重み付け処理部１４ｂは、図２に示すように、データＡおよびＢ（「塗りつぶし」によって表現されるデータ）においては、色塗りの面積が大きく、色の種類が少ないものを下になるように重み付けし、データＣおよびＤ（「プロット」によって表現されるデータ）においては、プロット数が多いものが下になるように重み付けし、データＥおよびＦ（「線コンタ」によって表現されるデータ）においては、線が多いものが下になるように重み付けし、同様に、データＧおよびＨ（「ベクトル」によって表現されるデータ）においても線が多いものが下になるように重み付けする（ステップＳ４０３）。
【００３４】
ここで、表示制御部１４ｃは、図２および図３に示すように、データＡおよびＢ（「塗りつぶし」によって表現されるデータ）においては、データＡの上にデータＢを重ね合わせてデータＢの透明度を０．５にする（透明度を表す重み付けの値を下げ、透明度をあげる）ことによって表現態様を区別し、データＣおよびＤ（「プロット」によって表現されるデータ）においては、データＣのプロット表示を黒く小さくし、その上にデータＤのプロット表示を大きく、色を淡く表示することによって表現態様を区別し、データＥおよびＦ（「線コンタ」によって表現されるデータ）においては、データＥの線を細くし、その上にデータＦの線をやや太く表示することによって表現態様を区別し、データＧおよびＨ（「ベクトル」によって表現されるデータ）においては、データＧの矢印を細くし、その上にデータＨの矢印をやや太く表示することによって表現態様を区別する（ステップＳ４０４）。
【００３５】
そして、表示制御部１４ｃは、「塗りつぶし（データＡおよびＢ）」を一番下にして、「線コンタ（データＥおよびＦ）」、「ベクトル（データＧおよびＨ）」、「プロット（データＣおよびＤ）」の順に重ね会わせて表示画面を作成し（図５参照）、出力部１２によって表示する（ステップＳ４０５）。
【００３６】
上述してきたように、本実施の形態１に係るデータ表示装置によれば、表現手法が同様である複数のデータについて、各データの表現上の質を取得し、表現上の質に応じて各データの表現態様を区別して表示するように制御するので、同様の表現手法でも複数のデータを容易に可視化することが可能になる。
【００３７】
（実施の形態２）
ところで、上記実施の形態１で説明したデータ表示装置およびデータ表示方法は、あらかじめ用意されたプログラムをパーソナル・コンピュータやワークステーションなどのコンピュータシステムで実行することによって実現することができる。そこで、本実施の形態２では、上記実施の形態１で説明したデータ表示装置（データ表示方法）と同様の機能を有するデータ表示プログラムを実行するコンピュータシステムについて説明する。
【００３８】
図６は、本実施の形態２に係るコンピュータシステムの構成を示すシステム構成図であり、図７は、このコンピュータシステムにおける本体部の構成を示すブロック図である。図６に示すように、本実施の形態２に係るコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００３９】
また、このコンピュータシステム１００における本体部１０１は、図７に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００４０】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２並びにプリンタ１１３などが接続される。
【００４１】
そして、このコンピュータシステム１００は、所定の記録媒体に記録されたデータ表示プログラムを読み出して実行することでデータ表示装置（データ表示方法）を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能なデータ表示プログラムを記録する、あらゆる記録媒体を含むものである。
【００４２】
すなわち、データ表示プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体からデータ表示プログラムを読み出して実行することでデータ表示装置およびデータ表示方法を実現する。なお、データ表示プログラムは、コンピュータシステム１００によって実行されることに限定されるものではなく、他のコンピュータシステム１１１またはサーバ１１２がデータ表示プログラムを実行する場合や、これらが協働してデータ表示プログラムを実行するような場合にも、本発明を同様に適用することができる。
【００４３】
（他の実施の形態）
さて、これまで本発明の実施の形態について説明したが、本発明は上述した実施の形態以外にも、上記特許請求の範囲に記載した技術的思想の範囲内において種々の異なる実施の形態にて実施されてもよいものである。
【００４４】
例えば、本実施の形態では、表現手法が同様である複数のデータについて表現上の質に基づいて重み付けをおこなう場合について説明したが、本発明はこれに限定されるものではなく、データ自体に重み付けをおこなうことにより、アクセントをつけたい特定のデータを際立たせることが可能になる。
【００４５】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータ（重み付け）を含む情報については、特記する場合を除いて任意に変更することができる。
【００４６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００４７】
（付記１）画面上に表現可能な所定のデータを所定の表現手法によって表示するデータ表示装置であって、
前記表現手法が同様である複数のデータについて、各データの表現上の質を取得する取得手段と、
前記取得手段によって取得された表現上の質に応じて各データの表現態様を区別して表示するように制御する表示制御手段と、
を備えたことを特徴とするデータ表示装置。
【００４８】
（付記２）前記表現手法は、前記所定のデータを塗りつぶしによって表現する手法であって、
前記取得手段は、前記塗りつぶしによって表現される複数のデータについて、各データの表現上の質を取得し、
前記表示制御手段は、前記取得手段によって取得された表現上の質に応じて各データの表現態様を区別して表示するように制御することを特徴とする付記１に記載のデータ表示装置。
【００４９】
（付記３）前記表現手法は、前記所定のデータをプロットによって表現する手法であって、
前記取得手段は、前記プロットによって表現される複数のデータについて、各データの表現上の質を取得し、
前記表示制御手段は、前記取得手段によって取得された表現上の質に応じて各データの表現態様を区別して表示するように制御することを特徴とする付記１または２に記載のデータ表示装置。
【００５０】
（付記４）前記表現手法は、前記所定のデータを線コンタによって表現する手法であって、
前記取得手段は、前記線コンタによって表現される複数のデータについて、各データの表現上の質を取得し、
前記表示制御手段は、前記取得手段によって取得された表現上の質に応じて各データの表現態様を区別して表示するように制御することを特徴とする付記１、２または３に記載のデータ表示装置。
【００５１】
（付記５）前記表現手法は、前記所定のデータをベクトルによって表現する手法であって、
前記取得手段は、前記ベクトルによって表現される複数のデータについて、各データの表現上の質を取得し、
前記表示制御手段は、前記取得手段によって取得された表現上の質に応じて各データの表現態様を区別して表示するように制御することを特徴とする付記１〜４のいずれか一つに記載のデータ表示装置。
【００５２】
（付記６）画面上に表現可能な所定のデータを所定の表現手法によって表示するデータ表示方法であって、
前記表現手法が同様である複数のデータについて、各データの表現上の質を取得する取得工程と、
前記取得工程によって取得された表現上の質に応じて各データの表現態様を区別して表示するように制御する表示制御工程と、
を含んだことを特徴とするデータ表示方法。
【００５３】
（付記７）画面上に表現可能な所定のデータを所定の表現手法によって表示する方法をコンピュータに実行させるデータ表示プログラムであって、
前記表現手法が同様である複数のデータについて、各データの表現上の質を取得する取得工程と、
前記取得工程によって取得された表現上の質に応じて各データの表現態様を区別して表示するように制御する表示制御工程と、
をコンピュータに実行させることを特徴とするデータ表示プログラム。
【００５４】
【発明の効果】
以上説明したように、本発明によれば、表現手法が同様である複数のデータについて、各データの表現上の質を取得し、表現上の質に応じて各データの表現態様を区別して表示するように制御することとしたので、同様の表現手法でも複数のデータを容易に可視化することが可能なデータ表示装置が得られるという効果を奏する。
【００５５】
また、本発明によれば、塗りつぶしによって表現される複数のデータについて、各データの表現上の質を取得し、表現上の質に応じて各データの表現態様を区別して表示するように制御することとしたので、重ね合わされるデータ同士が相互に塗りつぶしあうことで画面上のデータが不明瞭になることを防止でき、塗りつぶしによって表現される複数のデータを容易に可視化することが可能なデータ表示装置が得られるという効果を奏する。
【００５６】
また、本発明によれば、プロットによって表現される複数のデータについて、各データの表現上の質を取得し、表現上の質に応じて各データの表現態様を区別して表示するように制御することとしたので、重ね合わされるデータ同士が相互に塗りつぶしあうことで画面上のデータが不明瞭になることを防止でき、プロットによって表現される複数のデータを容易に可視化することが可能なデータ表示装置が得られるという効果を奏する。
【００５７】
また、本発明によれば、線コンタによって表現される複数のデータについて各データの表現上の質を取得し、表現上の質に応じて各データの表現態様を区別して表示するように制御することとしたので、重ね合わされるデータ同士が相互に塗りつぶしあうことで画面上のデータが不明瞭になることを防止でき、線コンタによって表現される複数のデータを容易に可視化することが可能なデータ表示装置が得られるという効果を奏する。
【００５８】
また、本発明によれば、ベクトルによって表現される複数のデータについて、各データの表現上の質を取得し、表現上の質に応じて各データの表現態様を区別して表示するように制御することとしたので、重ね合わされるデータ同士が相互に塗りつぶしあうことで画面上のデータが不明瞭になることを防止でき、ベクトルによって表現される複数のデータを容易に可視化することが可能なデータ表示装置が得られるという効果を奏する。
【図面の簡単な説明】
【図１】本実施の形態１に係るデータ表示装置の構成を示すブロック図である。
【図２】表現手法ごとの重み付け処理を説明するための図である。
【図３】表示制御処理を説明するための図である。
【図４】本実施の形態１に係るデータ表示装置の処理手順を示すフローチャートである。
【図５】出力部に表示される画面の構成例を示す図である。
【図６】本実施の形態２に係るコンピュータシステムの構成を示すシステム構成図である。
【図７】図６に示したコンピュータシステムにおける本体部の構成を示すブロック図である。
【符号の説明】
１０  データ表示装置
１１  入力部
１２  出力部
１３  メモリ
１４  制御部
１４ａ  取得部
１４ｂ  重み付け部
１４ｃ  表示制御部
１００  コンピュータシステム
１０１  本体部
１０２  ディスプレイ
１０２ａ  表示画面
１０３  キーボード
１０４  マウス
１０５  モデム
１０６  ＬＡＮ／ＷＡＮ
１０７  公衆回線
１０８  ＦＤ
１０９  ＣＤ−ＲＯＭ
１１１  ＰＣ
１１２  サーバ
１１３  プリンタ
１２１  ＣＰＵ
１２２  ＲＡＭ
１２３  ＲＯＭ
１２４  ＨＤＤ
１２５  ＣＤ−ＲＯＭドライブ
１２６  ＦＤドライブ
１２７  Ｉ／Ｏインターフェース
１２８  ＬＡＮインターフェース
【図１】
2004302165.tif 000003
【図２】
2004302165.tif 000004
【図３】
2004302165.tif 000005
【図４】
2004302165.tif 000006
【図５】
2004302165.tif 000007
【図６】
2004302165.tif 000008
【図７】
2004302165.tif 000009